(57)【要約】【課題】計量前の初期運転作業が自動的に行える電子天びんを提供する。【解決手段】電子天びん１に前方の計量者の存在を感知する赤外線センサ１２と、計量作業前に必要な電源投入、感度校正などの初期運転作業項目を記憶しておくＥＰＲＯＭ４４と、前記赤外線センサ１２の検知信号によって演算制御部４に電源を供給する時限スイッチ回路５４を設け、赤外線センサ１２の感知信号により演算制御部４に電源を供給し、前記ＥＰＲＯＭ４４から初期運転作業項目を自動的に読み出し実行し計量待機状態にする。【選択図】          図２
2007212254.tif 000002
【特許請求の範囲】
【請求項１】
内蔵分銅を自動的に上下させて荷重検出部に負荷して感度校正を行う電子天びんにおいて、電子天びんを使用する計量者を感知するセンサと、該センサにより計量者が感知された時点で計量前に必要な初期運転作業を自動的に行う初期運転作業手段を備えていることを特徴とする電子天びん。
【請求項２】
初期運転作業手段が対象とする初期運転作業項目を一連あるいはその一部を選択する選択手段を設けたことを特徴とする請求項１記載の電子天びん。
【請求項３】
内部温度計測手段と、感度校正時の内部温度を記憶する温度記憶手段と、校正時からの経過時間を計測する時間計測手段と、前回の感度校正時からの内部温度変化と経過時間をそれぞれの規定値と比較する比較手段とを備え、温度変化または経過時間が規定値を越える場合は、感度校正が自動的に行われることを特徴とする請求項１記載の電子天びん。
【発明の詳細な説明】
【技術分野】
【０００１】
本発明は、初期運転作業を自動化（ハンズフリー化）した電子天びん・電子はかりに関する。
【背景技術】
【０００２】
図７は従来一般的に使用されている電子天びんの外観例を示す斜視図である。通常、電子天びんには、電源を入切りする電源スイッチ１０１、それぞれスイッチ（図示省略）と連動するものであって、内蔵分銅を操作して感度校正を指令する校正キー１０２、測定レンジの切り替えや測定単位の切り替えを選択するレンジキー１０３及び単位キー１０４などが備えられている。このような電子天びんを使用する際の最初の初期運転作業には、電源スイッチ１０１による電源投入、校正キー１０２での内蔵分銅による感度校正を始め、必要に応じてレンジキー１０３や単位キー１０４によるレンジ変更や単位変更などの一連の初期運転作業が必要となる。また、最近では、メニュー選択機能を有する電子天びんが開示されており（特許文献１参照）、例えば計量値を算出する際のサンプリングデータの平滑化処理時間等をキー入力により選択できるようになっている。
【０００３】
【特許文献１】特開平１０−３０７０５６号公報
【発明の開示】
【発明が解決しようとする課題】
【０００４】
従来の電子天びんでは、計量作業前に毎回操作キーによる電源投入、感度校正などの初期運転作業を行うのを始め、必要に応じてレンジや測定単位の切り替えなども行わねばならず、また最近のようなメユー選択機能を有する電子天びんにおけるキー操作は計量者にとって大きな負担を与えるという問題がある。
本発明は、このような事情に鑑みてなされたものであって、計量者に負担となる初期運転作業が軽減された電子天びんを提供することを目的とする。
【課題を解決するための手段】
【０００５】
上記の目的を達成するため、本発明の電子天びんは、内蔵分銅を自動的に上下させて荷重検出部に負荷して感度校正を行う電子天びんにおいて、電子天びんを使用する計量者を感知するセンサと、該センサにより計量者が感知された時点で計量前に必要な初期運転作業を自動的に行う初期運転作業手段を備えている。
また初期運転作業手段が対象とする初期運転作業項目を一連あるいはその一部を選択する選択手段を設けたものである。
さらに内部温度計測手段と、感度校正時の内部温度を記憶する温度記憶手段と、校正時からの経過時間を計測する時間計測手段と、前回の感度校正時からの内部温度変化と経過時間をそれぞれの規定値と比較する比較手段とを備え、温度変化または経過時間が規定値を越える場合は、感度校正が自動的に行われるものである。
【発明の効果】
【０００６】
本発明の電子天びんは、計量前に必ず行う一連の初期運転作業を計量者のキー操作なしに自動的に行えるので、計量者の作業の負担を低減することができる。また予め一連の初期運転作業項目の中から必要項目を選別して立ち上げ時間を短縮することができ、特に平滑化時間を指定するなど初期運転作業項目の多い電子天びんにはより有効となる。
【発明を実施するための最良の形態】
【０００７】
本発明が提供する電子天びんは次のような特徴を有している。第１の特徴は内蔵分銅を自動的に上下させて荷重検出部に負荷して感度校正を行う電子天びんにおいて、電子天びんを使用する計量者を感知するセンサと、該センサにより計量者が感知された時点で計量前に必要な電源投入・感度校正などの初期運転作業を自動的に行う初期運転作業手段を備えている点である。第２の特徴は初期運転作業手段が対象とする初期運転作業項目を一連あるいはその一部を選択する選択手段を設けた点である。
第３の特徴は内部温度計測手段と、感度校正時の内部温度を記憶する温度記憶手段と、校正時からの経過時間を計測する時間計測手段と、前回の感度校正時からの内部温度変化と経過時間をそれぞれの規定値と比較する比較手段とを備え、温度変化または経過時間が規定値を越える場合は、感度校正が自動的に行われる点である。
従って最良の形態の基本的な構成は上記第１〜第３の特徴を備えた電子天びんである。
【実施例１】
【０００８】
本発明の電子天びんの実施例を図面を参照して以下に説明する。図１は本発明の第１実施例による電子天びんの前面斜視図、図２は本電子天びんのブロック構成図である。また図３は本電子天びんと計量者の位置関係を示す配置図である。本電子天びん１は、図１に示すように、荷重を検出し計量値に変換する機構および演算処理部を内蔵した本体２の前面部に、計量値を表示する表示部１７、感度校正を指令する校正キー１４、測定レンジを選択するレンジキー１５、単位を選択する単位キー１６及び初期運転作業を行うために使用するスイッチ１３がそれぞれ配設され、その上部に計量者の存在を感知する赤外線センサ１２、側面部に外部電源の接続をオンオフする電源スイッチ１１が接続され、内部の荷重検出部で受け皿１８を支持している。前記電源スイッチ１１はスイッチ１３で兼用してもよい。
【０００９】
前記本体２は図２に示すように、内蔵分銅６１を負荷するための分銅加除機構６と、被計量物や内蔵分銅６１の荷重負荷を検出する荷重検出部３と、荷重検出信号を重量計量値に変換して表示部１７に計量値データを出力する演算制御部４と、これらの構成部に電源を供給する電源切替部５を内設している。
【００１０】
前記荷重検出部３には受け皿１８上の被計量物荷重あるいは内蔵分銅６１が負荷され、その荷重が検出される荷重検出機構３１と、これから検出された検出信号をディジタル信号に変換するＡ／Ｄ変換器３２及び計量値の温度補正のために荷重検出部３内に設けた温度センサ３３から構成されている。
【００１１】
前記演算制御部４はマイクロコンピュータを主体として構成されており、ＣＰＵ４１、ＲＯＭ４２、ＲＡＭ４３、不揮発性メモリであるＥＰＲＯＭ４４および入出力インターフェース４５から構成され、この入出力インターフェース４５には前記Ａ／Ｄ変換器３２、内蔵分銅６１を自動的に操作して感度校正を指令する校正キー１４、測定レンジを選択するレンジキー１５及び単位を選択する単位キー１６などの操作キー群、および表示部１７が接続されている。前記ＲＯＭ４２には電源ＯＮ時に初期運転作業として行われる感度校正やその後のルーチン作業として行われる計量や定期的感度校正を実行する演算制御プログラムが記憶され、前記ＥＰＲＯＭ４４には、前記操作キー群の設定状態が記憶されている。
【００１２】
また前記電源切替部５は、電子天びん１に装着され計量者を感知して検知信号を出力する赤外線センサ１２、該赤外線センサ１２からの検知信号を受信して一定時間内部スイッチ５３をＯＮする時限スイッチ回路５４、前記赤外線センサ１２および時限スイッチ回路５４に接続された電源部５２、演算制御部４などその他の電気回路に電源を供給する電源部５１および前記電源部５１と外部電源間に挿入され、前記内部スイッチ５３と並列接続されているスイッチ１３から構成されている。
【００１３】
上記構成の電子天びん１の動作手順を図２及び図４のフローチャート図を参照して説明する。電源スイッチ１１をＯＮ、スイッチ１３をＯＦＦにして赤外線センサ１２の作用を有効にする（Ｓ１）。この状態で図３に示すように計量者Ｋがデスクに接近または着席すると、赤外線センサ１２から出た赤外線は計量者Ｋに反射して赤外線センサ１２で感知されると（Ｓ２）、赤外線センサ１２からの検知信号により時限スイッチ回路５４のタイマ（図示省略）が起動するとともに内部スイッチ５３がＯＮになる（Ｓ３）。これにより以下の一連の初期運転作業が開始される。先ず電源部５１から演算制御部４へ電源が供給され（Ｓ４）、ＥＰＲＯＭ４４に記憶されているレンジ、単位等の初期パラメータが演算制御プログラムへ読み込まれ（Ｓ５）、続いて無負荷での計量値Ｗ０を記憶し（Ｓ６）、内蔵分銅６１負荷での計量値Ｗａを記憶する（Ｓ７）。この計量値Ｗ０、Ｗａを用いて測定感度を校正し（Ｓ８）、計量可能状態にして待機する（Ｓ９）。一方、前記時限スイッチ回路５４のタイマの設定時間に到達した時点で（Ｓ１０）、計量者Ｋが赤外線センサ１２で感知されない場合は、電子天びん１が使用されなくなったものと判断し（Ｓ１１）、前記内部スイッチ５３をＯＦＦにして（Ｓ１２）、再度計量者Ｋが赤外線センサ１２により感知されるまで演算制御部４と電源部５１の接続が切られる（Ｓ１３）。
【００１４】
本実施例において、タイマ設定時間内に計量者Ｋが退席し再度着席した場合は、タイマはリセット／スタートする。したがって、タイマ設定時間内での短時間の退席／着席には関係なく演算制御部４などへの電源部５１接続は持続される。
【００１５】
図５は、第２実施例による電子天びんの上面図の前面部分を示したものである。この電子天びんには、操作キー群に初期パラメータ表示キー１９と初期パラメータ記憶キー２０が追加して設けられており、この初期パラメータ表示キー１９によって前記表示部１７の表示画面が図５（Ａ）に示す計量画面と図５（Ｂ）に示す初期パラメータ画面に切り替えられるように構成されている。初期パラメータ画面において、校正キー１４を押す毎にｃａｌ．／（無表示）に切り替わり、レンジキー１５を押す毎に例えば１０００．０／１００．００／１０．０００に切り替わり、単位キー１６を押す毎にｇ／ｍｇ等に切り替わる。これらの操作キーを使用して、図５（Ｂ）のように初期パラメータを設定しておき、初期パラメータ記憶キー２０を押すことにより、この初期パラメータが前記ＥＰＲＯＭ４４に記憶され電源断から復帰する時点でこれらの初期パラメータによる表示画面が表示される。ｃａｌ．が無表示の場合は、電源復帰後直後の校正が省略される。このように初期パラメータや校正などすべてを含む一連の初期設定を行ったり、その一部を省略することができる。
【００１６】
また図６は、第３実施例による電子天びんの動作を説明するフローチャートの一部分を示すものである。前回運転時の校正時の温度および時刻を計測して前記ＥＰＲＯＭ４４に記憶しておき、再度電源が供給されたときに、規定温度との差が一定値Ａ以上であるときまたは一定時間Ｂ以上経過している場合にのみ（Ｓ１５）、前記初期校正Ｓ６〜Ｓ８を行うようにしたものである。すなわち、前回校正時と電源復帰後で温度や時間差が接近している場合は校正を省略するようにしたものである。
【００１７】
以上、本発明の第１実施例〜第３実施例を説明したが、本発明は上記実施例に限定されるものではなく、種々の変形が考えられる。例えば計量者を検知するのに赤外線センサを使用しているが、電波や超音波を利用した検知センサを用いたり、操作キーとしてタッチパネルなどを用いてもよい。またレンジ設定を数値キーで直接入力してもよい。
【産業上の利用可能性】
【００１８】
本発明は電子天びん、はかりに用いられる。
【図面の簡単な説明】
【００１９】
【図１】本発明の第1実施例による電子天びんの前面斜視図である。
【図２】実施例に係わる電子天びんのブロック構成図である。
【図３】実施例に係わる電子天びんと使用者の位置関係を示す図である。
【図４】実施例に係わる電子天びんの動作を示すフローチャート図である。
【図５】第２実施例による電子天びんの上面図である。
【図６】第３実施例による電子天びんの動作を示すフローチャート図である
【図７】従来の電子天びんの前面斜視図である。
【符号の説明】
【００２０】
１  電子天びん
１１  電源スイッチ
１２  赤外線センサ
１３  スイッチ
１４  校正キー
１５  レンジキー
１６  単位キー
１７  表示部
１８  受け皿
１９  初期パラメータ表示キー
２０  初期パラメータ記憶キー
２  本体
３  荷重検出部
３１  荷重検出機構
３２  Ａ／Ｄ変換器
３３  温度センサ
４  演算制御部
４１  ＣＰＵ
４２  ＲＯＭ
４３  ＲＡＭ
４４  ＥＰＲＯＭ
４５  インターフェース
５  電源切替部
５１  電源部
５２  電源部
５３  内部スイッチ
５４  時限スイッチ回路
６  分銅加除機構
６１  内蔵分銅
１０１  電源スイッチ
１０２  校正キー
１０３  レンジキー
１０４  単位キー
Ｋ  計量者
【図１】
2007212254.tif 000003
【図２】
2007212254.tif 000004
【図３】
2007212254.tif 000005
【図４】
2007212254.tif 000006
【図５】
2007212254.tif 000007
【図６】
2007212254.tif 000008
【図７】
2007212254.tif 000009